(57)【要約】phono/RCAまたは（好ましくは）SCART（２０８、２１４）等のアナログAV接続を用いて相互接続された、ホームエンターテインメントシステム（２００）のコンポーネント（２０２、２０６）間でソフトウェア更新、メニュー、デジタルAVコンテント（例えばMPEG２ストリーム）等のデータを交換するシステム（２００）および方法が開示されている。１以上の利用可能なアナログAV接続（２２０）を利用してデータ交換を予定していることを第１のコンポーネント（２０２）が第２のコンポーネント（２０６）に表示する。それに応じて、第２のコンポーネント（２０６）は自装置の処理をデータ交換をするように適応させる。交換されたデータをアナログAVコンテントとしてではなく、例えば、経路指定し処理する。このように、上記のデータ転送のために新しいコネクタとコードセットを規定するのに付随した標準化および開発コストをかけずに、通常のアナログAV動作を邪魔することなく、既存のアナログAV接続（２０８、２１４）をホームエンターテインメントシステムの１つのコンポーネントから他のコンポーネントにデータを転送するために仕様できる。
2005530448.tif 000002
【特許請求の範囲】
【請求項１】
コンポーネント間でアナログAVコンテントを交換するための１以上の相互接続を用いて接続された第１のコンポーネントと第２のコンポーネントを有するホームエンターテインメントシステムであって、前記コンポーネントは
・前記相互接続を用いてアナログAVコンテントを交換し、
・時間間隔中に前記相互接続の少なくとも１つを用いてデータコンテントを交換するように動作し、
前記時間間隔に関して、前記第１のコンポーネントは
ａ）表示を生成し、
ｂ）前記表示を前記第２のコンポーネントに通信し、
前記第２のコンポーネントは
Ｉ．前記表示を受信し、
ＩＩ．前記表示に応じて、データコンテントの交換のために使用した前記少なくとも１つの相互接続に関連したコンテントの処理を適応させるように動作することを特徴とするホームエンターテインメントシステム。
【請求項２】
請求項１に記載のホームエンターテインメントシステムであって、前記第２のコンポーネントは、前記表示に応じて、前記第１のコンポーネントとデータコンテントを交換するために利用される前記少なくとも１つの相互接続を決定するようにさらに動作することを特徴とするホームエンターテインメントシステム。
【請求項３】
請求項１に記載のホームエンターテインメントシステムであって、前記第２のコンポーネントは前記コンテントのプレゼンテーションを抑制することにより、前記コンテントの処理を適応するように動作することを特徴とするホームエンターテインメントシステム。
【請求項４】
請求項１に記載のホームエンターテインメントシステムであって、アナログAVコンテントを交換するための前記相互接続はSCART仕様書で規定されたものであることを特徴とするホームエンターテインメントシステム。
【請求項５】
請求項４に記載のホームエンターテインメントシステムであって、データコンテントを交換するために利用される前記少なくとも１つの相互接続は、SCARTのブランキングピン１６であることを特徴とするホームエンターテインメントシステム。
【請求項６】
請求項１ないし４いずれか一項に記載のホームエンターテインメントシステムであって、前記表示はデータコンテントを交換するために利用される前記少なくとも１つの相互接続に別の手段を解して通信されることを特徴とするホームエンターテインメントシステム。
【請求項７】
請求項６に記載のホームエンターテインメントシステムであって、前記表示はワイヤレス手段により通信されることを特徴とするホームエンターテインメントシステム。
【請求項８】
請求項４に記載のホームエンターテインメントシステムであって、前記表示はSCARTのピン１０上のプロジェクト５０により通信されることを特徴とするホームエンターテインメントシステム。
【請求項９】
ホームエンターテインメントシステムの第１のコンポーネントと第２のコンポーネント間でデータを交換する方法であって、前記コンポーネントはアナログAVコンテントを交換するように動作可能な１以上の相互接続を用いて接続されており、前記第１のコンポーネントが
ａ）前記第２のコンポーネントと交換するデータを取得するステップと、
ｂ）データ交換モードを示す表示を生成するステップと、
ｃ）前記第２のコンポーネントに前記表示を通信するステップと、
ｄ）前記相互接続の少なくとも１つを用いて前記第２のコンポーネントとデータを交換するステップと、
ｅ）前記データ交換モードの停止を示す前記表示をキャンセルするステップを有し、前記第２のコンポーネントが
Ｉ．前記システム中のコンポーネントからの表示をチェックするステップと、
ＩＩ．前記第１のコンポーネントからの前記表示を受信するステップと、
ＩＩＩ．前記第１のコンポーネントとデータを交換するステップと、
ＩＶ．前記表示に応じて、データコンテントを交換するために使用される前記少なくとも１つの相互接続と関連した前記コンテントの処理を適応させることを特徴とする方法。
【請求項１０】
請求項９に記載の方法であって、ステップａ）の後に、前記第１のコンポーネントが
前記第２のコンポーネントと利用可能なアナログAVコンテント相互接続を決定するステップと、
データを交換するために使用する前記利用可能な相互接続の少なくとも１つを選択するステップとを有することを特徴とする方法。
【請求項１１】
請求項９に記載の方法であって、ステップＩＩの後に、前記第２のコンポーネントが
前記表示に応じて、前記第１のコンポーネントとデータを交換するために利用する前記少なくとも１つの相互接続を決定するステップをさらに有することを特徴とする方法。
【請求項１２】
請求項９ないし１１いずれか一項に記載の方法であって、前記表示は前記ホームエンターテインメントシステムのすべてのコンポーネントと通信され、前記表示に応じて前記コンポーネントがそれ自体を構成可能とすることを特徴とする方法。
【請求項１３】
請求項９ないし１２いずれか一項に記載の方法であって、前記第２のコンポーネントは前記第１のコンポーネントに前記表示をアクノレッジすることを特徴とする方法。
【請求項１４】
請求項９ないし１３いずれか一項に記載の方法であって、前記データ交換の間、現在データ交換に使用されている相互接続の利用可能性中のモード変化を前記第２のコンポーネントが前記第１のコンポーネントに通信することを特徴とする方法。
【請求項１５】
ホームエンターテインメントシステムのコンポーネント間でアナログAVコンテントを交換する、あるいは前記コンポーネント間でデータを交換し、前記データ交換中に前記コンポーネントにより前記少なくとも１つの相互接続と関連した前記コンテントの処理を適応させるように動作する、少なくとも１つの相互接続の使用。
【請求項１６】
請求項１５に記載の使用であって、前記データの交換は表示によりシグナルを出されることを特徴とする使用。
【請求項１７】
請求項１５に記載の使用であって、前記データ交換のレートは少なくとも10kbit/secであることを特徴とする使用。
【請求項１８】
請求項１５に記載の使用であって、前記少なくとも１つの相互接続は前記SCART仕様内で実施されることを特徴とする使用。
【請求項１９】
ホームエンターテインメントシステムのコンポーネントであって、前記コンポーネントは請求項９ないし１４いずれか一項に記載の方法ステップを実行するように構成されたソフトウェアを有することを特徴とするコンポーネント。
【発明の詳細な説明】
【技術分野】
【０００１】
本発明は、コンシューマエレクトロニクスコンポーネントを有するホームオーディオビジュアルエンターテインメントシステムに関し、特にコンポーネント間でデジタルデータを交換する方法に関する。
【背景技術】
【０００２】
一般的にはテレビ等のプレゼンテーションデバイスを中心としてオーディオビジュアル製品（以下コンポーネントと呼ぶ）をクラスターとして相互接続するよう消費者に推奨されている。近年、このようなコンポーネント（例えばセットトップボックス、DVDプレーヤ、ハイエンドテレビ等）はますますデジタル化されており、セット内のファームウェアに内蔵されたソフトウェアの制御下で動作する。このようなコンポーネントの寿命を延ばすため、バグを修正したり新しい機能を追加するためソフトウェアはフィールドで更新可能なように構成されている。場合によっては、ダウンロードチャンネルを解してソフトウェアにアクセスするコンポーネントにより更新される。この方法は、一般的にはセットトップボックスにより用いられる。しかし、他のコンポーネント、例えばハイエンドテレビは、ダウンロードチャンネルにアクセスできず、費用をかけてサービスエンジニアが訪問しなければこのようなコンポーネントを更新することはできない。
【０００３】
ソフトウェアの更新は技術的なことであり、理想的には消費者は最低限の係わり合いしか持たず、好ましくはまったく係るべきではない。前の例において、セットトップボックスはユーザが係わることなく更新することができる。同様に、DVDプレーヤはユーザが単に好適なディスクをプレーヤに挿入することにより更新可能である。しかし、セットトップボックスやDVDプレーヤはクラスター中の他のコンポーネントにデータを転送することができないので、他のコンポーネントを同様にユーザフレンドリーな更新をすることはできない。
【０００４】
セットトップボックスやDVDプレーヤのようなデジタルコンポーネントは、メニューデータとデジタルAV（例えばMPEG２）を含むどのようなデジタルコンテントも取り扱うことができる。実際には、この能力は、上記のコンポーネントやそれが相互接続されるコンポーネント（例えばテレビ）にデジタル相互接続の能力がないので、市場では活用されていない。さらにまた、経験によれば、コンポーネントの新しい専用デジタルコネクタが消費者に広く使用されるまでには、業界標準を取り決めたり、実装費用を減らしたり、ユーザを教育しなければならないので、時間がかかることが多い。しかし、例えばデジタルオーディオビジュアルコンテントの品質を保つため、コンポーネント間にデジタル相互接続を実装することが商業的には必要である。
【発明の開示】
【課題を解決するための手段】
【０００５】
本発明の目的は、ホームエンターテインメントシステムのコンポーネント間でデータを交換するシステムおよび方法を用いて上記その他の問題を解決することである。
【０００６】
本発明により、コンポーネント間でアナログAVコンテントを交換するための１以上の相互接続を用いて接続された第１のコンポーネントと第２のコンポーネントを有するホームエンターテインメントシステムであって、前記コンポーネントは
・前記相互接続を用いてアナログAVコンテントを交換し、
・時間間隔中に前記相互接続の少なくとも１つを用いてデータコンテントを交換するように動作し、前記時間間隔に関して、前記第１のコンポーネントは
ａ）表示を生成し、
ｂ）前記表示を前記第２のコンポーネントに通信し、
前記第２のコンポーネントは
Ｉ．前記表示を受信し、
ＩＩ．前記表示に応じて、データコンテントの交換のために使用した前記少なくとも１つの相互接続に関連したコンテントの処理を適応させるように動作することを特徴とするホームエンターテインメントシステムが提供される。
【０００７】
既存のホームエンターテインメントシステムのコンポーネントは、コンポジットビデオ、コンポーネントビデオ、同期信号、オーディオを含むが限定はされないアナログ信号の形式で、AVコンテントを通すために好適な標準化されたコネクターと導体を有するコードセットを利用して相互接続されている。好ましくは、これらのアナログ信号はシステムのコンポーネント間でベースバンドで送信される。しかし、それらはRFキャリア上で変調されて、変調された信号がシステムのコンポーネント間で有線または無線で転送されてもよい。相互接続に利用するコードセットは以下のコネクタータイプのいかなる組み合わせでもよい：Belling-Lee,  phono/RCAジャック,  S-VHS  miniDIN,  Peritel/Scart,  オーディオジャック。好ましくは、ホームエンターテインメントシステムはSCARTにより相互接続されている。コードセットで用いる導体は、それを通す信号の特徴によって決まり、例えば、EN50049-1:1997のSCARTコードセットとして仕様がまとめられたものがある。
【０００８】
本発明のシステムは、コンポーネント間でデータコンテントを交換するための、１以上の上記相互接続を利用する。しかし、先行技術とは違って、システムの通常のアナログAV動作と干渉しないように、コンテントの処理を適応させる。この適応された処理には、デスティネーションコンポーネントが他のコンポーネントからデータを受信することや、そのコンポーネントが受信したデータをアナログAVコンテントとして解釈しないように防止することが含まれる。例えば、テレビは受信したデータコンテントを表示しない。さらにまた、適応された処理には、ソースコンポーネントとデータを交換するために、どの相互接続を利用するかをデスティネーションコンポーネントが決定することを可能とすることも含まれる。
【０００９】
本発明においては、コンポーネント間でデータを交換するためにいかなる、またはすべての利用可能なアナログAVコンテント相互接続を利用してもよい。一部の実施形態において、単一の相互接続のみが使用される。好ましくは、この相互接続はブランキング（SCARTのピン１６とグランドのピン１４）である。ブランキングピンは、バンド幅（データレート）の能力が高く、SCARTで相互接続されたシステムでバス構成されているので、ピアツーピアデータ交換と同様にポイントツーマルチポイントデータ交換とコンパチブルであるので、適当である。
【００１０】
ソースコンポーネントは、１以上のデスティネーションコンポーネントとデータを交換するために、表示を生成し、その表示を１以上のデスティネーションコンポーネントに通信する。その表示はソース・デスティネーションコンポーネント間でデータ交換を確立すべきであることを表す。また、追加的に、そのデータ交換で使用する１以上の相互接続を特定してもよい。デスティネーションコンポーネントは、受信した表示に応じて、自装置によるコンポーネントの処理を適応させる。表示はコンポーネント間で交換されるデータ内に埋め込むことにより送信され、データ交換に参加しているコンポーネントにより好適に復号される。表示をデータに埋め込むのに好適な方法は多数あり、当業者にはこれらの方法が容易に分かるであろうから、本説明ではこれ以上説明しない。
【００１１】
あるいは、予備のAV相互接続やSCARTの予約ピン（ピン１２）等の別の相互接続により表示を送ってもよい。前者の場合、高いデータレートを扱う能力のあるチャンネルは、非常に低いレートの表示シグナリングタスクに限定されているので、予備の接続を使用することは非効率であろう。後者の場合、予備ピンの使用には業界の合意が必要であり、結果としてこの技術の受け入れが邪魔されたり遅らされたりするかもしれない。さらに、無線（例えば赤外線や無線媒体を用いて）やプロジェクト５０（SCARTピン１０）等を含むが限定はされない既存の制御手段を介して、表示を送るというオプションもある。無線制御の欠点は、同じ媒体とプロトコルを使用するためにデータ交換に使用する必要があることである。表示はプロジェクト５０を用いて送ることが好ましい。データ転送を要求するコンポーネントは、単にデータ交換のためのソース−デスティネーションを設定するプロジェクト５０メッセージを送り、ブランキング（SCARTピン１６）をデータ交換にデフォルトとして使用する（または、任意的に、どの相互接続を交換に使用するかを表示する）。上記のデータ交換をサポートするコンポーネントはしかるべく応答し、制御および管理された仕方でデータが交換される。
【００１２】
また、本発明によると、ホームエンターテインメントシステムの第１のコンポーネントと第２のコンポーネント間でデータを交換する方法であって、前記コンポーネントはアナログAVコンテントを交換するように動作可能な１以上の相互接続を用いて接続されており、前記第１のコンポーネントが
ａ）前記第２のコンポーネントと交換するデータを取得するステップと、
ｂ）データ交換モードを示す表示を生成するステップと、
ｃ）前記第２のコンポーネントに前記表示を通信するステップと、
ｄ）前記相互接続の少なくとも１つを用いて前記第２のコンポーネントとデータを交換するステップと、
ｅ）前記データ交換モードの停止を示す前記表示をキャンセルするステップを有し、前記第２のコンポーネントが
Ｉ．前記システム中のコンポーネントからの表示をチェックするステップと、
ＩＩ．前記第１のコンポーネントからの前記表示を受信するステップと、
ＩＩＩ．前記第１のコンポーネントとデータを交換するステップと、
ＩＶ．前記表示に応じて、データコンテントを交換するために使用される前記少なくとも１つの相互接続と関連した前記コンテントの処理を適応させることを特徴とする方法が提供される。
【００１３】
本方法は、前記ホームエンターテインメントシステム内のコンポーネントにより開始される。そのコンポーネントはシステム内の他のコンポーネントに送るデータを取得する。上記データはCD、テープ、またはディスク等のデータ担体を含むが限定はされないいかなる手段によっても、および／または放送事業者、サービスプロバイダ、ネットワーク、またはインターネットワークにあるサーバ等の遠隔地からダウンロードによって供給される。コンポーネントは、当業者に知られた方法を用いて、好適な（例えば内蔵された）メディアリーダおよび／またはサーバ接続を利用してデータにアクセスする。特に好適な例としては、（本来的にCD-ROMを読むことができる）DVDプレーヤと（放送事業者、ネットワーク、またはインターネットからデータを容易にダウンロードできる）セットトップボックスが挙げられる。コンポーネントは、データ交換モードに入る旨をシグナルする表示を生成する。その表示には、データを受信するよう意図されたデスティネーションコンポーネントの識別情報を含んでいてもよい。表示にはデータ交換に使用される相互接続をデスティネーションコンポーネントに通知する情報を含んでいてもよい。デスティネーションコンポーネントは、第１のコンポーネントに表示のアクノレッジメントを送り、それによりそのデスティネーションコンポーネントがそのデータ交換を正しく取り扱うことを確認してもよい（例えば、第１のコンポーネントにより表示されているとき、表示されたようにデータ交換のために使用するラインを決定し、受信した信号をアナログAV信号としてではなくデータとして処理することにより）。このアクノレッジメントは、データ交換の前の表示信号の単純なACKであってもよい。アクノレッジメントはデータ交換の間維持される、より複雑なアクノレッジメントでもよい。これにより、データを交換している間、データを交換しているコンポーネントはいかなる動的変化にも対応できる（例えば、デスティネーションコンポーネントはアクノレッジメントにおいて、データ交換に使用されているラインが利用できなくなったことをシグナルする）。このような状況において、第１のコンポーネントは異なるラインを用いてデータ交換を続けてもよいし、あるいはデータ交換を中断し、後で再開してもよい。
【００１４】
データ交換のためデータの経路設定を援助するために、第１のコンポーネントはホームエンターテインメントシステムのすべてのコンポーネントに表示を配信し、それによりそのコンポーネントが表示に応じて自装置を構成可能としてもよい。好ましくは、この表示は、SCARTで相互接続されているホームエンターテインメントシステム中のすべてのコンポーネントにバス状に接続されているプロジェクト５０（SCARTピン１０）により実行されてもよい。
【００１５】
本発明によると、ホームエンターテインメントシステムのコンポーネント間でアナログAVコンテントを交換する、あるいは前記コンポーネント間でデータを交換し、前記データ交換中に前記コンポーネントにより前記少なくとも１つの相互接続と関連した前記コンテントの処理を適応させるように動作する、少なくとも１つの相互接続の使用が提供される。前に説明したように、上記の相互接続を用いたデータの交換は表示によりシグナルされる。本発明により、少なくともバンド幅の1Hzあたり1bitの符号化をかていすると、単一のオーディオ接続を利用してコンポーネント間で少なくとも10kbit/secのデータレートでデータ交換をすることができる。明らかに、ビデオ接続を利用すれば、ビデオ接続あたり10Mbit/sec以上の範囲で、より高いレートを達成可能であろう。本発明によれば、２以上のアナログAV接続（例えば、オーディオ、ビデオ、ブランキング等）をデータ交換に使用することができる。また、システムの第１と第２のコンポーネント間でアナログAVコンテントとデータを同時に交換することができる（異なるアナログAV接続を用いる）。ホームエンターテインメントシステムはSCARTを用いて相互接続されているので、本発明ではSCART内で実施された相互接続を使用することが好ましいであろう。
【００１６】
さらに別の特徴および長所は、添付した図面を参照して例として説明する。
【発明を実施するための最良の形態】
【００１７】
本説明において、「アナログオーディオビジュアルコンテントコネクタ」という用語は、ベースバンドオーディオ、コンポジットビデオ、コンポーネントビデオ（Y、C、R、G、Bを含むがこれに限定されない）、オーディオまたはビデオと関連したブランキング信号のいずれかとコンパチブルであるホームエンターテインメントシステムのコンポーネント間の接続を指す。その用語はRFおよびIR（有線または無線）を含む他のコンパチブルな接続も含む。
【００１８】
図１はホームエンターテインメントシステムの第１の実施形態を示す概略図である。本システムは１００で一般的に示され、第１のコンポーネント１０２と第２のコンポーネント１０４とを有する。コンポーネントは少なくとも１つのアナログAVコンテント接続１０６により接続されている。この接続は、第２のコンポーネント１０４に送られた、第１のコンポーネント１０２により生成された表示１０８に応じて、コンポーネント間でデータを交換するために使用されてもよい。表示１０８は図示したように別経路で、または接続１０６を介して（図示せず）（すなわち、データ交換プロトコルそのもので）、コンポーネント１０４に転送されてもよい。第２のコンポーネント１０４に表示１０８を別経路で転送するオプションには、IR、RF、別のアナログAVコンテント接続、およびプロジェクト５０（後者のオプションの方が効率がよく、コンポーネントもSCARTを用いて相互接続されていることが多いので好ましいかもしれない）があるが、これらに限定されない。第２のコンポーネントは、表示によるデータ交換のために使用された少なくとも１つの接続と関連するコンテントの処理に適応する。例えば、第２のコンポーネントがテレビであるとき、データ交換中に、ディスプレイがブランクにされ、またはデフォルトディスプレイとなる。表示により、第２のコンポーネントにデータ交換のために利用される少なくとも１つの接続１０６が特定される。上で説明したように、第２のコンポーネントは表示をアクノレッジしてもよい。
【００１９】
図２はホームエンターテインメントシステムの第２の実施形態を示す概略図である。本システムは２００により一般的に示され、セットトップボックス２０２、DVDプレーヤ２０４、およびテレビ２０６とを有する。セットトップボックス２０２は（例えば、テレビのソフトウェア、ディスプレイ用のメニュー、またはテレビにストリームするMPEG2等のデジタルAVコンテントをアップグレードするために）テレビ２０６に送るべきデータを有する。セットトップボックス２０２のSCARTコネクタ２１０は、DVDプレーヤ２０４のSCARTコネクタ２１２にSCARTコードセット２０８により接続されている。同様に、DVDプレーヤ２０４のSCARTコネクタ２１６は、テレビ２０６のSCARTコネクタ２１８にSCARTコードセット２１４により接続されている。SCARTインターフェイスのアナログAVコンテント接続２２０がセットトップボックス２０２とテレビ２０６の間でデータを交換するために使用される。好ましくは、接続２２０は、デフォルトでは上記コンポーネントにより必要とされるいかなる動作がなくても中間コンポーネントを介してループされたバスタイプの接続である（この例において、ブランキングピン１６が使用され、SCARTコネクタ２１２とSCARTコネクタ２１６の間の点線により示したように、DVDプレーヤ２０４を介してループされている。この例においてセットトップボックス２０２からの表示は、システムのすべてのコンポーネントを通してループされているコンダクタ２２２（SCARTピン１０）により搬送されるプロジェクト５０メッセージにより実行される。その表示に応じて、テレビは、SCARTのピン１６でデータを受信し、同時におそらくキャプションを表示し、オーディオをミュートし、または同様な動作を実行することにより、コンテントの処理を適応させる。あるいは、データがデジタルAVコンテント（例えば、MPEG2ストリーム）である場合、テレビはそのコンテントを復号し表示してもよい。上で説明したように、テレビはプロジェクト５０またはデータ交換を介して、その表示をアクノレッジする。この実施例においては、追加的に、または代替的にブランキングの代わりに１以上のアナログAVコンテント接続を利用してもよい。これらを使用することは、中間のコンポーネント（すなわちDVDプレーヤ２０４）がプロジェクト５０メッセージを介して送信された表示に応じて、スイッチングによるループを必要とすることを示唆している。さらにまた、上で説明したように、セットトップボックス２０２とテレビ２０６間の表示・アクノレッジの送受により、データ交換の過程でアナログAVコンテント接続が動的に再構成されてもよい。
【００２０】
実施例として、図２のシステムと関連してプロジェクト５０のメッセージとプロトコルについて説明する。セットトップボックスコンポーネントはSTBと省略する。データ交換の開始にあたり、STBはモード３プロジェクト５０メッセージを送り、テレビにデータ交換モードであることを示す。
【００２１】
STBからテレビへ＜SCARTデータ交換要求＞＜任意的パラメータ、
例えば使用する特定されたSCARTアナログAVコンテント接続＞
テレビはSTBに以下のモード３プロジェクト５０メッセージを送信することにより、メッセージをアクノレッジする。
【００２２】
テレビからSTBへ＜データ交換開始＞＜関連するパラメータ＞、STBが
テレビとのデータ交換を開始できることを表す。
中間のコンポーネント（図２の実施例ではDVD）は上で説明した開始メッセージを検出し、特定されたアナログAVコンテント接続により信号経路を（例えばループすることにより）好適に構成する。同様に、データ交換を終了するために、STBはモード３プロジェクト５０メッセージを送信することによりデータ交換モードの終了をテレビに表示する。
【００２３】
STBからテレビへ＜SCARTデータ交換終了要求＞
テレビは再度以下のメッセージを送信することによりアクノレッジする。
【００２４】
テレビからSTBへ＜データ交換停止＞＜関連するパラメータ＞、STBが
データ交換を停止できることを表す。
データ交換中に、新しい特定の目的のために定義されたプロジェクト５０メッセージタイプとプロトコルであって、例えば第１と第２のコンポーネントが１つのメッセージフレーム内でアクティブであることを表示できるプロジェクト５０モード１メッセージフォーマットでモデル化されたものを用いることもできる。これによりメッセージ内に追加的データを有するメッセージ、例えば、「bytes  sent」、「bytes  remaining」、フロー制御、アナログAVコンテント接続の変更等が規則的に繰り返すことが容易となる。以下に「モード４メッセージ」として新しいプロジェクト５０メッセージが示されている一例を示す。
【００２５】
モード４メッセージ：＜アクティブ第１コンポーネント（BIT）＞
＜アクティブ第２コンポーネント（BIT）＞＜合計キロバイトカウント＞
＜交換されたキロバイトカウント＞＜フロー制御ビット＞＜アナログAV
コンテント接続ID＞
プロジェクト５０モード４メッセージの構成とプロトコルは、特定されたアナログAVコンテント接続を用いて半二重または全二重でのデータ交換をサポートするために好ましくは定義される。このように、その機能は、アナログAVコンテントに関しては標準的プロジェクト５０モード１メッセージのアップストリームおよびダウンストリーム機能に似ている。
【００２６】
前述のプロジェクト５０の実施は例としてのみ提示されたものであり、本発明の利点を活用するために当業者が容易に見出すことができる実施の範囲内のものである。
【００２７】
図３は本発明による方法を示すフロー図である。本方法は、第１のコンポーネントが第２のコンポーネントとデータを交換するホームエンターテインメントシステムのものであり、第１と第２のコンポーネントのための３００と３５０によりそれぞれ一般的に示される２つの部分を有する。第１のコンポーネントの方法はステップ３０２で始まり、ステップ３０４でデータが取得される。任意的に、ステップ３０８において、１以上のアナログAVコンテント接続がデータ交換のために利用可能な接続３０６から選択される。どんな接続が利用可能であるかを決定することは本説明の範囲外であるが、プロジェクト５０のトラフィックをモニターすることにより、または当業者には容易に分かるその他の手段により都合よく実行することができるであろう。第１のコンポーネントはステップ３１０で表示を生成し、ステップ３１１で少なくとも第２のコンポーネントにその表示を通信する。この表示には任意的にデータ交換のために利用可能な接続３０６から選択された接続を特定する情報を含む。上で説明したように、その表示をシステム内の他のコンポーネントに送信し、必要であればデータ交換をサポートすることを可能としてもよい。ステップ３１２において、データが交換される。一旦このデータ交換が完了すると、第１のコンポーネントはステップ３１４で表示をキャンセルし、少なくとも第２のコンポーネントに本データ交換モードが終了したことを示すシグナルを送る。第１のコンポーネントはステップ３１６で終了する。第２のコンポーネントの方法は、ステップ３５２で始まり、ステップ３５４で表示をチェックする。第１のコンポーネントからの表示をステップ３５６で受信する。ステップ３５８において任意的に、第２のコンポーネントは第１のコンポーネントがデータ交換のためにどの接続を選択したかを決定する。ステップ３６０において、第１のコンポーネントとデータを交換する。データ交換の間、第２のコンポーネントは、そのデータ交換のために第１のコンポーネントにより選択された接続を用いて普通に交換されたアナログAVコンテントを取り扱うことに優先して、ステップ３６２でその処理その他の機能、例えば第１のコンポーネントと交換されたデータの経路設定・処理を適応させる。第２のコンポーネントの方法はステップ３６４で終了する。説明を明瞭にするため、図３には上で説明したアクノレッジメントの過程は示していない。
【００２８】
前述の実施および方法は例としてのみ示したものであり、本発明の利点を活用するために当業者が容易に分かる実施の範囲を表すものである。
【００２９】
上の説明と図２を参照して、システム２００と上記の方法は、phono/RCAまたは（好ましくは）SCART２０８、２１４等のアナログAV接続を用いて相互接続されたホームエンターテインメントシステム２００のコンポーネント２０２、２０６間で、ソフトウェア更新、メニュー、デジタルAVコンテント（例えばMPEG2ストリーム）等のデータを交換するものとして説明した。第１のコンポーネント２０２は１以上の利用可能なアナログAV接続２２０を利用してデータ交換する予定であることを第２のコンポーネント２０６に表示（２２２）する。それに応じて、第２のコンポーネント２０６は、交換されたデータをアナログAVコンテントとして扱わず、例えば経路設定・処理をして、データ交換をするように自装置の処理を適応させる。このように、通常のアナログAV動作を混乱させることなく、データ転送のための新しいコネクターやコードセットを規定することに付随する標準化および開発コストをかけないで、ホームエンターテインメントシステム中の１つのコンポーネントから他のコンポーネントへ転送するために、既存のアナログAV接続２０８・２１４を用いることができる。
【図面の簡単な説明】
【００３０】
【図１】ホームエンターテインメントシステムの第１の実施形態を示す概略図である。
【図２】ホームエンターテインメントシステムの第２の実施形態を示す概略図である。
【図３】本発明による方法を示すフロー図である。
【図１】
2005530448.tif 000003
【図２】
2005530448.tif 000004
【図３】
2005530448.tif 000005
【国際調査報告】
2005530448.tif 000006
2005530448.tif 000007